(57)【要約】【課題】前成形された接続幾何学的形状部を備えたセラミックブロックを機械によって加工すること及びこのようなブロックから非対称的な任意の形状を機械によって製作することを可能にする。【解決手段】歯科用の嵌合体を製作するための半製品１３のための保持部１であって、半製品１３に対する接続幾何学的形状部１２と、加工機械の緊締チャック６内で固定するための幹部２とが設けられている形式のものにおいて、当該保持部１が、幹部２の上方に測定幾何学的形状部１５，１６，１７を有しており、接続幾何学的形状部１２と測定幾何学的形状部１５，１６，１７との間の位置関係を既知とした。【選択図】図１
2004344657.tif 000002
【特許請求の範囲】
【請求項１】
歯科用の嵌合体を製作するための半製品（１３）のための保持部（１）であって、半製品（１３）に対する接続幾何学的形状部（１２）と、加工機械の緊締チャック６内で固定するための幹部（２）とが設けられている形式のものにおいて、当該保持部（１）が、幹部（２）の上方に測定幾何学的形状部（１５，１６，１７）を有しており、接続幾何学的形状部（１２）と測定幾何学的形状部（１５，１６，１７）との間の位置関係が既知であることを特徴とする、半製品のための保持部。
【請求項２】
測定幾何学的形状部が、保持部（１）の縦軸線（９′）に対して垂直な１つの表面（１７）と、保持部（１）の縦軸線（９′）に対して平行な、少なくとも１つの平坦な側面（１５，１６）とを有している、請求項１記載の保持部。
【請求項３】
測定幾何学的形状部（１５〜１７）に、接続幾何学的形状部（１２）の形式に関する情報が含まれている、請求項１または２記載の保持部。
【請求項４】
歯科用の嵌合体を製作するための半製品（１３）であって、前成形された接続幾何学的形状部（１２′）が設けられている形式のものにおいて、当該半製品（１３）が測定幾何学的形状部（１５′，１６′，１７′）を有しており、接続幾何学的形状部（１２′）と測定幾何学的形状部（１５′，１６′，１７′）との間の位置関係が既知であることを特徴とする、歯科用の嵌合体を製作するための半製品。
【請求項５】
測定幾何学的形状部に、接続幾何学的形状部（１２′）の形式に関する情報が含まれている、請求項４記載の半製品。
【請求項６】
当該半製品が、加工機械内における固定領域を有しており、接続幾何学的形状部が固定領域に対して方向付けられており、この結果、加工機械内で固定された当該半製品において接続幾何学的形状部が測定を受け入れ可能である、請求項４または５記載の半製品。
【請求項７】
歯科用の嵌合体を製作するための半製品（１３）の接続幾何学的形状部（１２′）の位置および配向性を測定するための方法において、接続幾何学的形状部（１２′）との位置関係が既知である接続幾何学的形状部（１２′）の位置および配向性の測定を、測定幾何学的形状部（１５′〜１７′）の測定によって行うことを特徴とする、半製品の接続幾何学的形状部の位置および配向性を測定するための方法。
【請求項８】
半製品（１３）に設けられた測定幾何学的形状部（１５′〜１７′）を測定する、請求項７記載の方法。
【請求項９】
歯科用の嵌合体を製作するために半製品（１３）の、インプラントに調和させられた接続幾何学的形状部（１２′）の位置および配向性を測定するための方法において、接続幾何学的形状部（１２′）が測定を受け入れ可能であるように半製品（１３）を加工機械内に固定し、半製品（１３）の接続幾何学的形状部（１２′）の測定を行うことを特徴とする、インプラントに調和させられた接続幾何学的形状部の位置および配向性を測定するための方法。
【請求項１０】
加工機械内で固定するために半製品を保持部に結合し、当該保持部の一部を、加工機械に結合する、請求項９記載の方法。
【請求項１１】
歯科用の嵌合体を製作するために、保持部（１）に着脱可能に結合された半製品（１３）に対する、当該保持部（１）に存在する接続幾何学的形状部（１２）の位置および配向性を測定するための方法であって、この場合、
−当該保持部（１）が、幹部（２）で加工機械の緊締チャック（６）内に締め込まれており、緊締軸線（９）に関して空間的に少なくとも大まかに予め方向付けされており、
−加工器具（２０）が、当該保持部の測定幾何学的形状部の種々異なる箇所に接触させられる方式のものにおいて、
−幹部（２）の縦軸線（９）に関する接続幾何学的形状部（１２）の移動量を、縦軸線（９）に対して垂直な、当該保持部（１）の表面（１７）における少なくとも１つの接触動作によって測定し、
−縦軸線（９）を中心とする接続幾何学的形状部（１２）の回動量と、縦軸線（９）に関する接続幾何学的形状部（１２）の偏心量とを、当該保持部（１）の縦軸線に対して平行な、平坦な側面（１５，１６）における少なくとも１つの接触動作によって測定し、
−前記両測定によって得られた測定結果から、半製品（１３）に対する当該保持部の接続幾何学的形状部（１２）の位置および配向性を求めることを特徴とする、当該保持部に存在する接続幾何学的形状部の位置および配向性を測定するための方法。
【請求項１２】
歯科用の嵌合体を製作するための、保持部（１）に着脱可能に結合された半製品（１３）に対する、当該保持部に存在する接続幾何学的形状部（１２）の位置および配向性を測定するための方法であって、この場合、
−当該保持部（１）が、幹部（２）で加工機械の緊締チャック（６）内に締め込まれており、緊締軸線（９）に関して、空間的に少なくとも大まかに予め方向付けされており、
−測定器具（３０）によって、当該保持部の測定幾何学的形状部の種々異なる箇所が測定される方式のものにおいて、
−幹部（２）の縦軸線（９）に関する接続幾何学的形状部（１２）の移動量を決定するために、縦軸線（９）に対して垂直な、当該保持部（１）の少なくとも１つの表面（１７）を測定し、
−縦軸線（９）を中心とする接続幾何学的形状部（１２）の回動量と、縦軸線（９）に関する接続幾何学的形状部（１２）の偏心量とを決定するために、当該保持部（１）の縦軸線に対して平行な、平坦な側面（１５，１６）を測定し、
−前記両測定によって得られた測定結果から、半製品（１３）に対する当該保持部の接続幾何学的形状部（１２）の位置および配向性を求めることを特徴とする、当該保持部に存在する接続幾何学的形状部の位置および配向性を測定するための方法。
【発明の詳細な説明】
【技術分野】
【０００１】
本発明は、歯科用の嵌合体（Passkoerper）を製作するための半製品のための保持部であって、半製品に対する接続幾何学的形状部（Anschlussgeometrie）と、加工機械の緊締チャック内で固定するための幹部とが設けられている形式の保持部と、当該保持部で着脱可能に取付け可能な半製品、特に、歯科用の嵌合体を製作するための半製品に対して当該保持部に設けられた接続幾何学的形状部の位置および配向性を測定するための方法であって、当該保持部が幹部で、加工機械における緊締チャック内に締め込まれ、緊締軸線（Spannachse）に関して空間的に少なくとも大まかに予め方向付け（Grobausrichtung）され、当該保持部の測定幾何学的形状部（Messgeometrie）の種々異なる箇所に加工器具が接触させられる方式の測定方法とに関する。
【背景技術】
【０００２】
ヨーロッパ特許出願公開第１０２３８７６号明細書に基づいて公知であるような、前成形された接続幾何学的形状部を備えたセラミックブロックを、機械により加工する際には、加工機械の幾何学的形状部に対して相対的な、前記接続幾何学的形状部の位置および配向性が既知でなければならない。しかしながら、接続幾何学的形状部自体が常に直接的に測定され得るとは限らない。なぜならば、光学式の測定装置が常に存在するとは限らないからである。
【０００３】
したがって、前成形された接続幾何学的形状部を備えたセラミックブロックは、機械によって加工されなかったか、または加工したい形状は、対称的な理由から、前成形された接続幾何学的形状部の位置および形状に関する精確な認知を必要とはしなかった。
【０００４】
歯科用の嵌合体をセラミックブロックの形状の半製品から製作する領域においては、ヨーロッパ特許出願公開第０１６０７９７号明細書に基づいて、半製品のための保持部の、特別にキャリブレイトされた（Kalibriert）領域に加工工具を接触させ、ひいては、加工工具に関する半製品の中心軸線の位置決定のために加工工具を援用することが公知である。保持部自体は、基準当接部によって自動的に寸法的に正確に加工機械内で位置決めされるように形成されていると有利である。
【０００５】
欠点は、前成形された接続幾何学的形状部を備えた半製品を加工するために必要である、半製品に対して相対的な研削工具の精確な位置決定が可能ではないことにある。
【特許文献１】ヨーロッパ特許出願公開第１０２３８７６号明細書
【特許文献２】ヨーロッパ特許出願公開第０１６０７９７号明細書
【特許文献３】国際公開第９９／１３７９６号パンフレット
【発明の開示】
【発明が解決しようとする課題】
【０００６】
本発明の課題は、前成形された接続幾何学的形状部を備えたセラミックブロックを機械によって加工すること及び、このようなブロックから非対称的な形状をも含む任意の形状を機械によって製作することを可能にすることである。
【課題を解決するための手段】
【０００７】
この課題を解決するために、本発明の保持部は、幹部の上方に測定幾何学的形状部を有しており、接続幾何学的形状部と測定幾何学的形状部との間の位置関係が既知とされている。
【０００８】
したがって、当該保持部を介して、接続幾何学的形状部の位置決定にとって重要な寸法の精確な測定が可能となり、これにより、ブロック幾何学的形状部の位置および配向性も、直接的な測定が可能ではない場所において、間接的に検出可能となる。
【０００９】
有利には、測定幾何学的形状部は、当該保持部の縦軸線に対して垂直な１つの表面と、当該保持部の縦軸線に対して平行な１つの平坦な側面とを有している。
【００１０】
１実施態様によれば、測定幾何学的形状部には、接続幾何学的形状部の形式に関する情報が含まれている。これにより、正しいタイプが加工機械内に締め込まれているかどうかのチェックが可能となる。
【００１１】
本発明のさらなる対象は、歯科用の嵌合体を製作するための半製品である。当該半製品は、前成形された接続幾何学的形状部と、さらに測定幾何学的形状部とを有しており、この場合、接続幾何学的形状部と測定幾何学的形状部との間の位置関係が既知とされている。ここでも、測定幾何学的形状部には、接続幾何学的形状部の形式に関する情報が含まれていることができる。
【００１２】
有利には、当該半製品は、加工機械内における固定領域を有しており、接続幾何学的形状部は、固定領域に対して方向付けられて、加工機械内で固定された当該半製品において接続幾何学的形状部の測定が可能となっている。したがって、測定は難なく実施でき、場合によっては、緊締されたブロックが加工に適しているかどうかが確認され得る。
【００１３】
当該保持部に着脱可能に結合された半製品、特に歯科用の嵌合体を製作するための半製品に対する、当該保持部に存在する接続幾何学的形状部の位置および配向性を測定する本発明による方法によれば、接続幾何学的形状部の位置および配向性の測定は、接続幾何学的形状部との位置関係が既知である測定幾何学的形状部の測定によって行われる。
【００１４】
このために、有利には、半製品に設けられた測定幾何学的形状部を測定する。
【００１５】
本発明のさらなる対象は、歯科用の嵌合体を製作するための半製品の、インプラントに調和させられた接続幾何学的形状部の位置および配向性を測定するための方法にある。この場合、接続幾何学的形状部が測定を受け入れ可能であるように半製品は、加工機械内に固定され、半製品の接続幾何学的形状部の測定が行われる。
【００１６】
有利には、半製品は加工機械内で固定するために保持部に結合されており、当該保持部の一部が加工機械に結合されている。このことは、保持部のために種々異なる材料を使用することができ、かつ同一の保持部を複数の半製品のために使用することができるという利点を有している。
【００１７】
本発明のもう１つの対象は、歯科用の嵌合体を製作するための、保持部に着脱可能に結合された半製品に対する、当該保持部に存在する接続幾何学的形状部の位置および配向性を測定するための方法である。この場合、当該保持部は、加工機械の緊締チャック内に幹部で締め込まれ、緊締軸線に関して空間的に少なくとも大まかに予め方向付けされ、当該保持部の測定幾何学的形状部の種々異なる箇所に加工器具が接触させられる。
【００１８】
幹部の縦軸線に関する接続幾何学的形状部の移動量は、縦軸線に対して垂直な、当該保持部の表面における少なくとも１つの接触動作によって測定され、縦軸線を中心とする接続幾何学的形状部の回動量と、縦軸線に関する接続幾何学的形状部の偏心量とは、当該保持部の縦軸線に対して平行な、平坦な側面における少なくとも１つの接触動作によって測定され、前記両測定によって得られた測定結果から、半製品に対する当該保持部の接続幾何学的形状部の位置および配向性が求められる。
【００１９】
本発明の最後の対象は、歯科用の嵌合体を製作するための、保持部に着脱可能に結合された半製品に対する、当該保持部に存在する接続幾何学的形状部の位置および配向性を測定するための方法である。この場合、当該保持部は、加工機械の緊締チャック内に幹部で締め込まれており、緊締軸線に関して空間的に少なくとも大まかに予め方向付けされ測定器具が当該保持部の測定幾何学的形状部の種々異なる箇所に接触させられる。
【００２０】
幹部の縦軸線に関する接続幾何学的形状部の移動量を決定するためには、縦軸線に対して垂直な、保持部の少なくとも１つの表面を測定し、縦軸線を中心とする接続幾何学的形状部の回動量と、縦軸線に関する接続幾何学的形状部の偏心量とを決定するためには、保持部の縦軸線に対して平行な、平坦な側面を測定し、前記両測定によって得られた測定結果から、半製品に対する当該保持部の接続幾何学的形状部の位置および配向性が求められる。
【００２１】
したがって、一方の場合は触知動作（Touchiervorgang）、例えば加工工具による触知動作であり、他方の場合は非接触式の測定である。
【００２２】
原則的な方法は、実際には一般的に次のように説明され得る。
【００２３】
−第１のステップでは、保持部の幹部が加工機械の緊締チャック内に差し込まれる。この場合、緊締軸線に関して、空間的に少なくとも大まかな方向付けが行われる。
【００２４】
−第２のステップでは、幹部が緊締チャック内に緊締される。
【００２５】
−第３のステップでは、保持部の測定幾何学的形状部の種々異なる箇所に加工器具が接触させられるか、または他の方式で保持部の測定幾何学的形状部の種々異なる箇所が測定される。
【００２６】
緊締チャック内における保持部の位置の精確な検出は、次のことによって可能となる。すなわち、幹部の縦軸線に関する接続幾何学的形状部の移動量を、保持部の縦軸線に対して垂直な表面における、少なくとも１つの接触動作もしくは測定によって測定し、縦軸線を中心とする接続幾何学的形状部の回動量と、縦軸線に関する接続幾何学的形状部の偏心量とを、保持部の縦軸線に対して平行な、平坦な側面における少なくとも１つの接触動作もしくは測定によって測定し、第４のステップにおいて、前記両測定によって得られた測定結果から、半製品に対する当該保持部の接続幾何学的形状部の位置および配向性を算出することによって可能となる。この測定は非接触式に行うこともできる。
【００２７】
前記装置は４つの要求を満たす。第１に、保持部は、その緊締幾何学的形状に基づいて、大まかな配向で加工機械の緊締チャック内に締め込まれ得るように構成されている。この要求は、実施例では、幹部とノッチを備えた皿状部とによって満たされる。
【００２８】
第２に、保持部は、接続幾何学的形状部を介して形状接続的（formschluessig）に、セラミックブロックの前成形された幾何学的形状部に結合され得るように構成されている。この要求は、実施例では、半製品の前成形された幾何学的形状部のネガティブ形状部が存在することによって満たされている。この場合、保持部は、接続幾何学的形状部を介して形状接続的に、半製品の前成形された幾何学的形状部に係合する。
【００２９】
場合によっては前成形された幾何学的形状部も含めた半製品の対称性は、保持部の形状によって表され得る。この場合、複数の部分から成る対称部が一義的に分解される必要はない。例えばブロックが回転対称的であり、かつ前成形された回転対称部が６つまたは８つである場合、保持部と半製品との間の結合部も、６つまたは８つの対称を有している。この対称はこれ以上分解される必要がない。
【００３０】
原則的に、半製品への保持部の接続のためには、保持部に対して相対的な半製品の移動可能性も回転可能性も許容しないあらゆる任意の接続幾何学的形状が可能である。確かに、複数の対称が可能であるが、この対称は、非対称的な半製品を、予定される固定方向に相応しない方向で不用意に嵌めてしまうことに、ユーザが直ちに見て気がつくように構成しておきたい。
【００３１】
第３に、保持部は、測定幾何学的形状部が測定を許容するように構成されている。この要求は、実施例では、適当な幾何学的形状部によって装置の機械的な測定が可能とされることによって満たされている。この測定では、緊締の形式が許容するあらゆる自由度、例えば移動量、回動量および偏心量が検出されかつ測定される。
【００３２】
第４に、保持部は、測定幾何学的形状部の測定が接続幾何学的形状部の位置および配向性の一義的な推定を可能とするように構成されている。
【００３３】
さらに、測定幾何学的形状部は、接続幾何学的形状部の形式も、供給したいインプラントの特徴として測定幾何学的形状部においてコーディングされているように形成されていてよい。
【００３４】
国際公開第９９／１３７９６号パンフレットによれば、保持部に設けられた面を、レーザビームによって測定し、かつ長さおよび幅または軸方向の長さおよび中心軸線との間隔を、使用される半製品の形式のための標徴として解釈することが公知であるが、これは加工機械への供給前に行われる。
【発明を実施するための最良の形態】
【００３５】
以下に、本発明による保持部および本発明による方法の実施の形態を、図面につき説明する。
【００３６】
図１に示した保持部１は、幹部２と皿状部３と延長部４とから成っている。幹部２の緊締幾何学的形状部は、複数の自由度を有している。
【００３７】
緊締装置における、幹部２の端部に配置されたストッパ５の、不正確に規定された位置に基づいて、受容する緊締チャック６内で幹部２に沿った移動が生じる。
【００３８】
皿状部３における緊締ノッチ７に係合する嵌合ピン８による大まかな前位置決めのために、受容する緊締チャック６の縦軸線９を中心とする回動が可能である。
【００３９】
幹部２を緊締チャック６内で、幹部の外周部における固定領域１０に作用する無頭ねじ（Madenschraube）１１によって固定することに基づいて、緊締チャック６の縦軸線９に関する偏心が、緊締チャック６内における緊締幾何学的形状部の非対称的な位置固定によって生ぜしめられ得る。幹部２を緊締チャック６内に挿入できるようにするためには、必然的に、幹部２の半径は緊締チャック６の内径よりも小さいことが必要である。前記半径は、一般的には、大量生産のばらつきを免れない。すなわち、側面から無頭ねじ１１によって緊締することによって、幹部２の縦軸線９′と緊締チャック６の縦軸線９との間に、規定されていない偏心が生ぜしめられる。幹部２が精密な回動部であり、接続幾何学的形状部１２も精密に幹部２に対して方向付けられていて、しかも幹部２に対して同心的であるので、幹部２の縦軸線９′と緊締チャック６の縦軸線９との間の接続幾何学的形状部の偏心も生ぜしめられる。
【００４０】
全ての前記自由度によって、接続幾何学的形状部１２の位置は半製品１３に対して確実に再現可能には予め規定されていないことになる。しかしながら半製品１３からインプラントまたは支台が作り出される場合、全ての前記幾何学的な位置関係が重要である。
【００４１】
図２には、保持部１の既に説明した特徴のほかにさらなる特徴を示してある。中心部には、半製品（図示せず）のための接続幾何学的形状部１２が存在する。接続幾何学的形状部１２は、その寸法に関しては従来技術に対応する。さらに、外周部に緊締ノッチ７を備えた皿状部３も示してある。
【００４２】
測定幾何学的形状部の一部として、側面１５，１６を備えたビーム１４が示してある。側面１５，１６は互いに平行に配向されている。図１に示してあるように、側面１５，１６は、さらに、保持部１の縦軸線９′に対して平行にかつ所定の間隔を置いて延びている。
【００４３】
皿状部３の上面１７は、測定幾何学的形状部の一部であり、保持部１の縦軸線に対して垂直に方向付けられている。
【００４４】
緊締チャック６内で固定された保持部１の位置決定のための測定器具として、加工機械の、図３に示した加工工具２０が用いられる。この工具２０は緩慢な送りでかつ極めて緩慢な回転数で、工具２０と基準面１６，１７との間の機械的な接触が回転数を低減するまで、測定幾何学的形状部の種々異なる基準面に接近させられる。この触知動作は公知先行技術に基づき公知であり、工具の位置の認知を介して基準面の位置を計算により決定することを可能にする。
【００４５】
測定幾何学的形状部は、ここでは、皿状部の上面１７と、ビーム１４の、縦軸線９に対して平行な側面１６とから成っている。
【００４６】
幹部２に沿った移動量は、皿状部３の上面１７における少なくとも１つの触知動作によって測定され、適当な測定点が、図１および図２において中実円（Vollkreis）として示されている。この場合、接触は加工工具の周面２１を介して行われる。皿状部３の上面１７が平坦な面であり、この面が、さらに、緊締チャック６の縦軸線９に対して垂直に方向付けられている場合、原則的に、どの箇所で上面に接触させられるかは重要ではない。
【００４７】
縦軸線９を中心とする保持部の回動量と、前記軸線に関する保持部の偏心量とは、ビーム１４の側面１５，１６における複数の触知動作によって求められ得る。測定の質は、ビームがより遠く外側で触知されるほど最適化され得る。適当な測定点は、図１および図２において中空円（Kreis）として示されている。
【００４８】
原則的に、測定幾何学的形状部の光学式の測定も可能である。
【００４９】
測定幾何学的形状部の測定が、接続幾何学的形状部の位置および配向性の一義的な推定を可能とするように、保持部１が形成されていることによって、前記測定に基づいて接続幾何学的形状部１２の位置および配向性が算出され得る。接続幾何学的形状部１２とビーム１４との間の延長部４は、測定幾何学的形状部の測定に際してかつ後の加工に際して、加工工具の自由な運動を許容する。
【００５０】
保持部が測定されている場合、この保持部上に固定された半製品１３の位置も既知であり、半製品から非対称的な形状を作り出すこともできる。加工機械の座標系内のセラミックブロックの回動軸線の精確な位置の認知は、前記形状を、前記軸線に対して半径方向のプロフィルに分解するために利用され得る。この場合、前記プロフィルは、緊締装置の縦軸線９を中心とする半製品の回動下で作り出され得る。
【００５１】
特に、保持部および接続幾何学的形状部を１つのピースから製作することと、これに伴って、保持部に関する接続幾何学的形状部の精密な位置および方向付けに基づいて製作することとは、保持部の測定によって半製品の位置と方向付けとを推定することを可能にする。原則的に保持部は、相応の幾何学的な関連が維持される限りは、複数の部分から成っていてもよい。
【００５２】
このやり方によって、完成した嵌合体が接続幾何学的形状部に対して相対的な所望の位置および配向性を有していることが、保証されている。
【００５３】
複数の部分から成る保持部を、図４に示してある。保持部４０は、加工機械（図示せず）内に締め込むための幹部４１と、さらに、装着部４４に結合するためのセンタリング手段４３を備えた皿状部４２とを有している。まず装着部４４は測定幾何学的形状部４５を備えている。装着部４４は交換可能であって、かつセンタリング手段に被せ嵌め可能である。装着部４４は、この実施例では中央が開放していて、ピン４６に被せ嵌められている。このピン４６は皿状部４２から離れて延びている。ピン４６の端部には、半製品４８への接続幾何学的形状部４７が設けられている。
【００５４】
図５には半製品５１を示してあり、この半製品５１は、緊締装置内で固定するための幹部５２を有している。この幹部は金属製であって、半製品５１内のかなり奥深くへ延びている。したがって幹部５２は、半製品から突出していて直接的に緊締され得る金属コアを形成している。加工後に幹部５２は分離される。接続幾何学的形状部５３は、半製品の、幹部５２とは逆の側の端部に固定されている。
【００５５】
図６には、半製品６０に接続幾何学的形状部６１のほかに測定幾何学的形状部６２が設けられていてもよいことを示してある。測定幾何学的形状部は、図６ｂによる図に示してあって、図１によるビーム１４と表面１７とに比較可能な面６３，６４，６５，６６，６７を有している。前記面の測定または前記面のうちの幾つかの面の測定によって、接続幾何学的形状部６１の位置が十分に精確に決定可能である。
【００５６】
接続幾何学的形状部が測定され得る半製品７０が、図７に示してある。この目的のために、接続幾何学的形状部７１は側方で半製品７０に配置されている。幹部７２は半製品７０から離れて延びている。半製品７０が幹部７２によって緊締装置内に締め込まれる場合、半製品自体に配置された接続幾何学的形状部７１は、測定を受け入れ可能である。この場合、付加的な測定幾何学的形状部は、もはや必要とされない。
【図面の簡単な説明】
【００５７】
【図１】半製品のための保持部の側面図である。
【図２】図１による保持部の平面図である。
【図３】保持部を測定するための加工工具を示す図である。
【図４】複数部分から成る保持部を示す図である。
【図５】緊締装置内で固定するための幹部を備えた半製品を示す図である。
【図６ａ】接続幾何学的形状部と測定幾何学的形状部とを備えた半製品を示す図である。
【図６ｂ】接続幾何学的形状部と測定幾何学的形状部とを備えた半製品を示す図である。
【図７】接続幾何学的形状部が測定される半製品を示す図である。
【符号の説明】
【００５８】
１  保持部、  ２  幹部、  ３  皿状部、  ４  延長部、  ５  ストッパ、  ６  緊締チャック、  ７  緊締ノッチ、  ８  嵌合ピン、  ９  縦軸線、  １０  固定領域、  １１  無頭ねじ、  １２  接続幾何学的形状部、  １３  半製品、  １４  ビーム、  １５，１６  側面、  １７  上面、  ２０  工具、  ２１  周面、  ４０  保持部、  ４１  幹部、  ４２  皿状部、  ４３  センタリング手段、  ４４  装着部、  ４５  測定幾何学的形状部、  ４６  ピン、  ４７  接続幾何学的形状部、  ４８  半製品、  ５１  半製品、  ５２  幹部、  ５３  接続幾何学的形状部、  ６０  半製品、  ６１  接続幾何学的形状部、  ６２  測定幾何学的形状部、  ６３，６４，６５，６６，６７  面、  ７０  半製品、  ７１  接続幾何学的形状部、  ７２  幹部
【図１】
2004344657.tif 000003
【図２】
2004344657.tif 000004
【図３】
2004344657.tif 000005
【図４】
2004344657.tif 000006
【図５】
2004344657.tif 000007
【図６ａ】
2004344657.tif 000008
【図６ｂ】
2004344657.tif 000009
【図７】
2004344657.tif 000010